(57)【要約】【課題】  総菜収容部から延伸した封止片部を有する総菜用袋において、封止片部がカールするのを防止する。【解決手段】    総菜用袋１は三方袋であり、二軸延伸ＰＥＴフイルムにＰＥＴ樹脂を押出し積層して形成した二軸延伸ＰＥＴフイルム層／ＰＥＴ樹脂層の積層フイルムで形成されている。表部材１０と、裏部材２０とで構成されており、裏部材２０は表部材１０の縦方向の長さより長く形成されている。裏部材２０の表部材１０より上方に延伸した部分が封止片部２１となっている。側端ヒートシール部ａ、底ヒートシール部ｂが形成され、総菜収容部３０形成されている。封止片部２１の先端を所定の巾を持って折返してヒートシールし、折返しヒートシール部ｃが形成されている。  【選択図】図１
0003217827.tif 000002
【実用新案登録請求の範囲】
【請求項１】
表部材と、該表部材より縦方向の長さが長い裏部材とからなり、少なくとも表部材の両側端部と裏部材の両側端部とがヒートシールされて袋状の総菜収容部が形成されるとともに、該総菜収容部から延伸した裏部材からなる封止片部が形成された袋であって、前記封止片部の先端が折り返されてヒートシールされた先端ヒートシール部を有することを特徴とする総菜用袋。
【請求項２】
前記表部材と裏部材とが、二軸延伸ＰＥＴフイルム層／ＰＥＴ樹脂層の積層材で形成されていることを特徴とする総菜用袋。
【請求項３】
前記ＰＥＴ樹脂層は、非晶部分が８５％以上、結晶部分が１５％未満であることを特徴とする請求項２記載の総菜用袋。
【請求項４】
前記先端ヒートシール部の折返し巾が、３ｍｍ〜１５ｍｍであることを特徴とする請求項１、２及び３記載の総菜用袋。
【請求項５】
前記総菜用袋が、三方袋であることを特徴とする請求項１、２、３及び４記載の総菜用袋。
【考案の詳細な説明】
【技術分野】
【０００１】
本考案は、フライ等の惣菜を収容する総菜用袋に関するもので、更に詳しくは二軸延伸ＰＥＴフイルムにＰＥＴ樹脂を押出し積層した積層フイルム等で形成した総菜用袋のカールを防止できるようにしたものである。
【背景技術】
【０００２】
一般に、スパーマーケット、小売店、イベント会場等において、てんぷら、フライ等の惣菜や、菓子パン等を販売する際、惣菜用袋を用いて販売されていることが多い。すなわち、購入者が、売り場に積み重ねて置かれている惣菜用袋を手に取るとともに、トング等で所望の総菜等を取り総菜等を総菜用袋に収容し、その後、ゴムバンド、ラベル等で総菜用袋を封止するものであった。
【０００３】
以上のような惣菜用袋としては、例えば、図５に示すようなものがあった。この惣菜用袋５０は、表部材５１と、表部材５１より縦方向に長い裏部材５２とからなり、表部材５１と両側端と裏部材５２の両側端とはヒートシールされて側端ヒートシール部ｊが形成されるとともに、表部材５１の底辺部と裏部材の底辺部とはヒートシールされて底ヒートシール部ｋが形成されて、総菜収容部５３が形成されている。裏部材５２の総菜収容部５３から上方へ延伸している部位は、総菜収容部５３を封止する封止片部５４となっている。
【０００４】
また、惣菜用袋に用いる材料としては、一般的に、ＰＥフイルムやＰＰフイルムからなる単層フイルムや、袋に腰が欲しい場合は、二軸延伸ＰＰフイルムにＰＥ樹脂やＰＰ樹脂をドライラミネートで押出積層した積層フイルムが用いられている。ところで、ＰＥＴ樹脂は安全衛生性や耐油性に優れ、かつフレーバー吸着がない優れた樹脂であるが、結晶性樹脂であるためＰＥ樹脂並の低温ヒートシール性（１３０℃内外）がないという問題点があり、従来、惣菜用袋には用いられていなかった。そこで、本出願人は押出したＰＥＴ樹脂を急冷して非晶部分が８５％以上、結晶部分が１５％未満であればＰＥ樹脂並の低温ヒートシール性があることを見出し、ＰＥＴ樹脂層を有する積層材を提案している（特許文献１参照）。
【先行技術文献】
【特許文献】
【０００５】
【特許文献１】特許第５１８０２７２号
【考案の概要】
【考案が解決しようとする課題】
【０００６】
しかしながら、二軸延伸ＰＥＴフイルム上にＰＥＴ樹脂を押出積層して形成した二軸延伸ＰＥＴフイルム層とＰＥＴ樹脂層とからなる積層フイルムは、押出積層して積層フイルムを形成する際、ＰＥＴ樹脂を押出積層した後急冷すると、二軸延伸ＰＥＴフイルム層はほとんど体積収縮は無いが、ＰＥＴ樹脂層は溶融状から固体状になるので、体積収縮が大きくなり、その結果ＰＥＴ樹脂層側にカールするものであった。
【０００７】
したがって、このような積層フイルムで上記総菜用袋を作製すると、封止片部５４において、カールが残存した状態となっており、総菜を収容した後、ラベル等を貼付して封止片部５４で総菜収容部５３を封止する際、カールしているので円滑に封止作業を行えないものであった。
【０００８】
本考案は、以上の問題点を解決するためになされたもので、封止片部におけるカールを可及的に小さくできるようにした総菜用袋を提供することを目的とする。
【課題を解決するための手段】
【０００９】
請求項１に係る惣菜用袋は、表部材と、該表部材より縦方向の長さが長い裏部材とからなり、少なくとも前記表部材の両側端部と裏部材の両側端部とがヒートシールされて袋状の総菜収容部が形成されるとともに、該総菜収容部から延伸した裏部材からなる封止片部が形成された袋であって、前記封止片部の先端が折り返されてヒートシールされた先端ヒートシール部を有することを特徴として構成されている。
【００１０】
請求項２に係る惣菜用袋は、前記表部材と裏部材とが、二軸延伸ＰＥＴフイルム層／ＰＥＴ樹脂層の積層材で形成されていることを特徴として構成されている。
【００１１】
請求項３に係る惣菜用袋は、前記ＰＥＴ樹脂層は、非晶部分が８５％以上、結晶部分が１５％未満であることを特徴として構成されている。
【００１２】
請求項４に係る惣菜用袋は、前記先端ヒートシール部の折返し巾が、３ｍｍ〜１５ｍｍであることを特徴として構成されている。
【００１３】
請求項５に係る惣菜用袋は、前記総菜用袋が、三方袋であることを特徴として構成されている。
【考案の効果】
【００１４】
請求項１に係る総菜用袋においては、総菜収容部から延伸した封止片部の先端がヒートシールされて先端ヒートシール部が形成されている。すなわち、封止片部の最先端を内面側（袋部の内面となる面と同一面側）に折り返し、内面同士を所定の幅でヒートシールし先端ヒートシール部としたものである。したがって、先端ヒートシール部においては、互いに反対方向へカールしようとする重なった裏部材を一体に貼り合わせることになっているので、先端ヒートシール部は、どちらにもカールすることなく、平坦な状態をある程度の剛性を持って維持した状態となっている。
【００１５】
したがって、封止片部の先端ヒートシール部以外の部分（総菜収容部の上端から先端ヒートシール部の下端までの部分）において、外面側に凸となるようなカールが発生しようとしても、先端ヒートシール部が平坦性を維持しようとするので、全体としてカールを効果的に抑制することが出来る。その結果、多数の総菜用袋を店頭等で積み重ねて置いても、積み重ねた総菜用袋が崩れたりすることなく安定的に置くことが出来、また、封止片部をラベル等で貼付固定する際も支障なく行えるものである。
【００１６】
請求項２に係る惣菜用袋においては、表部材と裏部材とが、二軸延伸ＰＥＴフイルム層／ＰＥＴ樹脂層の積層フイルムで形成されているので、安全衛生性や耐油性に優れフレーバー吸着がない優れた総菜用袋とすることが出来る。
【００１７】
請求項３に係る惣菜用袋は、前記ＰＥＴ樹脂層は、非晶部分が８５％以上、結晶部分が１５％未満であるので、ヒートシールにより確実に積層接着することができる。
【００１８】
請求項４に係る惣菜用袋は、前記先端ヒートシール部の折返し巾が、３ｍｍ〜１５ｍｍであるので、通常用いられている寸法の総菜用袋において、カールを確実に抑制できるとともに、材料費の節約を可能とし、安価に製作することができる。
【００１９】
請求項５に係る惣菜用袋は、前記総菜用袋が、三方袋であるので、各種用途の総菜用袋を容易に製作することが出来る。
【考案を実施するための形態】
【００２０】
本考案の総菜用袋は、封止片部の先端が折り返されてヒートシールされた先端ヒートシール部を有することを特徴とし、この先端ヒートシール部により、封止片部にカールが発生するのを抑制するものである。カールの抑制効果は、先端ヒートシール部の折り返した巾に比例することとなり、最大の効果を得ようとすると、封止片部の半分を折り返して先端ヒートシール部とした場合、すなわち、封止片部の全面が先端ヒートシール部となる場合である。したがって、先端ヒートシール部の折返し巾は長い程、カール抑制効果が大きくなるが、必要以上に長くしても材料費等が嵩むだけであるので、ある程度抑制効果を発揮することが出来るだけの長さにすることが好ましい。
【００２１】
換言すれば、カールの抑制効果は、封止片部において、先端ヒートシール部の折返し巾と、総菜収容部から先端ヒートシール部下端までの長さとの比に依存するものであるので、先端ヒートシール部の巾は、これらを考慮して、各種寸法の総菜用袋において、適宜適切な長さに設定すればよい。
【００２２】
以上のような総菜用袋は、表部材と、該表部材より縦方向の長さが長い裏部材とからなり、少なくとも前記表部材の両側端部と裏部材の両側端部とがヒートシールされて袋状の総菜収納部が形成されるとともに、該総菜収納部から延伸した裏部材からなる封止片部が形成されたものであって、その封止片部においてカールが発生する総菜用袋を前提としており、上記構成及び封止片部におけるカールの問題が発生する袋であれば、形成する積層フイルムの層構成（二軸延伸ＰＥＴフイルム層／ＰＥＴ樹脂層、二軸延伸ＰＰフイルム／ＰＥ樹脂層、二軸延伸ＰＰフイルム／ＰＰ樹脂層等）等に拘わらず適用できるものである。
【００２３】
本考案の総菜用袋を形成するには、安全衛生性や耐油性に優れフレーバー吸着がない点で、二軸延伸ＰＥＴフイルム層／ＰＥＴ樹脂層からなる積層フイルムが好ましい。この積層フイルムを形成するには、二軸延伸ＰＥＴフイルムにＰＥＴ樹脂を押出積層する際、ＰＥＴ樹脂層側を金属冷却ロールに当て二軸延伸フイルムをニップロール側で挟んでＰＥＴ樹脂層を急冷し、ＰＥＴ樹脂層の非晶部分が８５％以上、結晶部分が１５％未満とする。これによりＰＥ樹脂並の１３０℃内外でヒートシールすることが可能となる。
【００２４】
二軸延伸ＰＥＴフイルムとしては、最も汎用されている厚さ１２μｍのフイルムが安価に入手することが出来る。ＰＥＴ樹脂層の厚さは、１５μｍ〜２０μｍがヒートシールが可能で安価に製造することが出来る。２０μｍ以上でもヒートシールは可能であるがコスト的に高くなるだけである。
【００２５】
本考案による総菜用袋の第一の実施形態を図面を参照して説明する。
【００２６】
図１は、総菜用袋の表面図、図２は総菜用袋に総菜を収容した状態の図である。図１において、総菜用袋１は三方袋であり、二軸延伸ＰＥＴフイルムにＰＥＴ樹脂を押出し積層して形成した二軸延伸ＰＥＴフイルム層／ＰＥＴ樹脂層の積層フイルムで形成されており、ＰＥＴ樹脂層が袋の内面になるように配置されている。
【００２７】
総菜用袋１は、表部材１０と、裏部材２０とで構成されており、裏部材２０は表部材１０の縦方向の長さより長く形成され、裏部材２０の表部材１０より上方に延伸した部分が封止片部２１となっている。また、表部材１０の両側端部１１の全長と、裏部材２０の両側端の側端部１１に対応するする部分２２とは、ヒートシールがされて側端ヒートシール部ａが形成され、また、表部材１０の底辺部１２と裏部材２０の底辺部２３とは、ヒートシールがされて底ヒートシール部ｂが形成されている。したがって、この側端ヒートシール部ａと底ヒートシール部ｂとで、三方が密封された袋状の総菜収容部３０形成されている。
【００２８】
前記封止片部２１の最上端は、折返しヒートシール部ｃが形成され、この折返しヒートシール部ｃは、封止片部２１の先端を所定の巾を持って折返し、ヒートシールしたものである。したがって、この折返しヒートシール部ｃにおいては、裏部材２０の内面層（ＰＥＴ樹脂層）同士が接着された層構成（二軸延伸ＰＥＴフイルム層／ＰＥＴ樹脂層／ＰＥＴ樹脂層／二軸延伸ＰＥＴフイルム層）となっている。
【００２９】
なお、以上のような総菜用袋１を天ぷら、フライ等の総菜に用いる場合、例えば、ｄ＝２５０ｍｍ、ｅ＝１０ｍｍ、ｆ＝１９０ｍｍであると、折返しヒートシール部ｃの巾ｇは、１５ｍｍ≧ｇ≧３ｍｍとすることが好ましい。
【００３０】
総菜用袋１を用いるには、図２に示すように、総菜収容部３０に総菜ｈを収容した後、封止片部２１を総菜収容部３０の上端縁から折返し、ラベル４０で封止片部２１と表部材１０とを一体に固定する。
【００３１】
以上のような総菜用袋１においては、折返しヒートシール部ｃが形成されているので、封止片部２１がカールするのを可及的に防止することができる。すなわち、折返しヒートシール部ｃにおいては、前述したように、二軸延伸ＰＥＴフイルム層／ＰＥＴ樹脂層／ＰＥＴ樹脂層／二軸延伸ＰＥＴフイルム層からなる層構成となっている。したがって、二軸延伸ＰＥＴフイルム層／ＰＥＴ樹脂層からなる層構成であればＰＥＴ樹脂層側にカールしようとするが、ＰＥＴ樹脂層同士が接着されているので、両者が打ち消されてカールすることが無い。その結果、折返しヒートシール部ｃは、ある程度の剛性を持って平坦な状態を維持しようとするので、封止片部２１において内側にカールしようとする力が作用しても、それを抑制することが出来、カールを防止することが出来る。
【００３２】
本考案による総菜用袋の第二の実施形態を図面を参照して説明する。
【００３３】
図３は総菜用袋の表面図、図４は総菜用袋の使用状態を示した図である。図３において、総菜用袋１は、バゲット等を収容できるように横長に形成されたもので、前記第一の実施形態の総菜用袋１と同様に、表部材１０、裏部材２０、封止片部２１、側端ヒートシール部ａ、底ヒートシール部ｂ、折返しヒートシール部ｃで構成されているが、側端部近傍において、表部材１０及び裏部材２０の縦方向の全長にわたってミシン目５１が形成されるとともに、ミシン目５１の下端部（底ヒートシール部ｂ）にノッチ５２が形成されている。
【００３４】
以上のような総菜用袋１は、イベント会場等において、販売者が予めバゲットｉを総菜収容部３０に収容するとともに、ラベル４０で封止片部２１と表部材１０とを固定し、この状態で販売する。購入者は、ノッチ５２を介してミシン目５１を切断して総菜収容部３０の一部を除去し、残った総菜収容部３０を持ってバゲットｉに触れることなく食することが出来るものである。
【図面の簡単な説明】
【００３５】
【図１】本考案の第一実施形態の総菜用袋の表面図
【図２】本考案の第一実施形態の総菜用袋に総菜を収容した状態の図
【図３】本考案の第二実施形態の総菜用袋の表面図
【図４】本考案の第二実施形態の総菜用袋の使用状態を示した図
【図５】従来の総菜用袋の表面図
【符号の説明】
【００３６】
１  ：総菜用袋
１０：表部材
２０：裏部材
２１：封止片部
３０：総菜収容部
ａ  ：側端ヒートシール部
ｂ  ：底ヒールシール部
ｃ  ：折返しヒートシール部
【図１】
0003217827.tif 000003
【図２】
0003217827.tif 000004
【図３】
0003217827.tif 000005
【図４】
0003217827.tif 000006
【図５】
0003217827.tif 000007
【手続補正書】
【提出日】平成30年6月15日(2018.6.15)
【手続補正１】
【補正対象書類名】明細書
【補正対象項目名】０００４
【補正方法】変更
【補正の内容】
【０００４】
また、惣菜用袋に用いる材料としては、一般的に、ＰＥフイルムやＰＰフイルムからなる単層フイルムや、袋に腰が欲しい場合は、二軸延伸ＰＰフイルムにＰＥフイルムやＰＰフイルムをドライラミネートで積層した積層フイルムが用いられている。ところで、ＰＥＴ樹脂は安全衛生性や耐油性に優れ、かつフレーバー吸着がない優れた樹脂であるが、結晶性樹脂であるためＰＥ樹脂並の低温ヒートシール性（１３０℃内外）がないという問題点があり、従来、惣菜用袋には用いられていなかった。そこで、本出願人は押出したＰＥＴ樹脂を急冷して非晶部分が８５％以上、結晶部分が１５％未満であればＰＥ樹脂並の低温ヒートシール性があることを見出し、ＰＥＴ樹脂層を有する積層材を提案している（特許文献１参照）。
【手続補正書】
【提出日】平成30年7月10日(2018.7.10)
【手続補正１】
【補正対象書類名】実用新案登録請求の範囲
【補正対象項目名】全文
【補正方法】変更
【補正の内容】
【実用新案登録請求の範囲】
【請求項１】
表部材と、該表部材より縦方向の長さが長い裏部材とからなり、少なくとも表部材の両側端部と裏部材の両側端部とがヒートシールされて袋状の総菜収容部が形成されるとともに、該総菜収容部から延伸した裏部材からなる封止片部が形成された袋であって、前記封止片部の先端が折り返されてヒートシールされた先端ヒートシール部を有することを特徴とする総菜用袋。
【請求項２】
前記表部材と裏部材とが、二軸延伸ＰＥＴフイルム層／ＰＥＴ樹脂層の積層材で形成されていることを特徴とする請求項１記載の総菜用袋。
【請求項３】
前記ＰＥＴ樹脂層は、非晶部分が８５％以上、結晶部分が１５％未満であることを特徴とする請求項２記載の総菜用袋。
【請求項４】
前記先端ヒートシール部の折返し巾が、３ｍｍ〜１５ｍｍであることを特徴とする請求項１、２又は３記載の総菜用袋。
【請求項５】
前記総菜用袋が、三方袋であることを特徴とする請求項１、２、３又は４記載の総菜用袋。